(57)【特許請求の範囲】
【請求項１】
電動送風機と集塵室と前記電動送風機の排気を袋状体との間で循環させるための循環風路を有する寝具等清掃用具本体に連結される袋状体であって、
前記袋状体は、複数の袋状体単体を並列に配置されてあり、
前記袋状体単体は、流体出入口及び穴部を有し、
前記流体出入口は、流体を前記袋状体単体の内部に流入させると共に内部から流出させるよう形成されてあり、
前記穴部は、前記袋状体単体の外表面に形成されてあり、
前記袋状体単体は、前記流体出入口から前記袋状体単体の内部に流体を流入させることにより膨張すると共に、流体が前記穴部から外部に流出し、
かつ、
前記袋状体単体の内部の流体を前記流体出入口から外部に流出させることにより収縮すると共に、流体が前記穴部から内部に流入し、
前記寝具等清掃用具本体に連結された状態において、膨張と収縮とを交互に繰り返すようにして使用されることを特徴とする袋状体。
【請求項２】
穴部は板状弁にて形成されてあり、膨張時に閉状態、収縮時に開状態となるよう、開閉可能に形成されてあることを特徴とする請求項１記載の袋状体。
【請求項３】
膨張時及び／又は収縮時において、袋状体単体の形状を規制する為の規制部材が形成されてあることを特徴とする請求項１又は２記載の袋状体。
【請求項４】
電動送風機と集塵室と前記電動送風機の排気を袋状体との間で循環させるための循環風路を有する寝具等清掃用具本体と、請求項１〜３のいずれか１項に記載の袋状体とを装着した基台を、
寝具等に当接させて、前記袋状体の膨張と収縮を交互に繰り返すことにより、前記寝具を変形させると共に、前記寝具に付着した塵埃等を吸引除去することを特徴とする寝具等清掃用具。
【請求項５】
寝具等清掃用具を寝具等に当接させた状態で、前記寝具等清掃用具及び前記寝具等を袋状シート内に収容し、該状態において寝具等の清掃が行われることを特徴とする請求項４に記載の寝具等清掃用具。
【発明の詳細な説明】
【技術分野】
【０００１】
本発明は、掛布団、敷布団、毛布、枕、バスタオル、パジャマなどの寝具等の清掃を行う寝具等清掃用具及びこれに使用する袋状体に関するものである。
【背景技術】
【０００２】
従来から、布団等をクリーニングする機能を備えた布団乾燥機が知られている（特許文献１）。この特許文献１に記載の布団乾燥機は、空気吸い込み口と、空気排出口と、ヒータと、ファン等とを備えており、前記空気吸い込み口に塵埃吸引用パイプの接続部が形成されているものであった。そして、前記空気吸い込み口に塵埃吸引用パイプを接続することによって、布団乾燥機を掃除機としても使用することが可能となっていた。
【０００３】
また、布団を掛ける枠体と、この枠体を覆い布団を収納可能な布団袋と、前記枠体内に設けられ吸排気口を有する開口板と、この開口板とダクトで接続された送風機を備え、前記送風機の排気側にヒータを設け、このヒータの吐出部に前記吸排気口から送風機の吸い込み側に至る第１の空気経路を形成する状態と、前記吸排気口から送風機の排気側に至る第２の空気経路を形成する状態とに切り替える切替手段を設け、前記枠体に回動自在に布団叩き体を設けた布団乾燥機が知られている（特許文献２）。
【０００４】
また、温風を発生させるための装置本体と、被乾燥物を乾燥させるための袋部と、前記装置本体と前記袋部とを接続し内部に温風路が形成される接続部と、正負イオンを発生させるためのイオン発生素子とを備えている乾燥装置が知られている（特許文献３）。この乾燥装置は、前記袋部の表面に、袋部が破裂しないように複数の排気穴が形成されている。
【先行技術文献】
【特許文献】
【０００５】
【特許文献１】特開平５−１７７０９０号公報
【特許文献２】特開平４−７９９９７号公報
【特許文献３】特開２００５−１８５７１９号公報
【発明の概要】
【発明が解決しようとする課題】
【０００６】
上記特許文献１には、布団乾燥機が掃除機としての機能を備えていると記載されているのみであり、布団掃除用ブラシが図示されておらず、いかにして布団に付着しているダニや塵埃等を吸引するかについての記載がされていない。
【０００７】
また、特許文献２の布団乾燥機は、吸排気口を有する開口板と、布団叩き体とが別体にて形成されており、枠体に回動自在に軸支された布団叩き体を往復動させる動力が必要となることから、布団乾燥機が大型なものになっていた。
【０００８】
また、特許文献３の乾燥装置は、被乾燥物を乾燥させるための袋部の表面に排気穴が形成されているが、この排気穴は、袋部が破裂しないようにするためのものであり、ダニや塵埃等を吸引する構成を備えているものではなかった。
【０００９】
本発明は、上記課題を解決する為になされたもので、寝具等を清掃するに際して、装置を大型化せずに、寝具等に付着しているダニや塵埃等を確実に除去することができる寝具等清掃用具及びこれに使用する袋状体を提供することを目的としている。
【課題を解決するための手段】
【００１０】
上記従来の課題を解決する為に、請求項１の発明は、電動送風機と集塵室と前記電動送風機の排気を袋状体との間で循環させるための循環風路を有する寝具等清掃用具本体に連結される袋状体であって、前記袋状体は、複数の袋状体単体を並列に配置されてあり、前記袋状体単体は、流体出入口及び穴部を有し、前記流体出入口は、流体を前記袋状体単体の内部に流入させると共に内部から流出させるよう形成されてあり、前記穴部は、前記袋状体単体の外表面に形成されてあり、前記袋状体単体は、前記流体出入口から前記袋状体単体の内部に流体を流入させることにより膨張すると共に、流体が前記穴部から外部に流出し、かつ、前記袋状体単体の内部の流体を前記流体出入口から外部に流出させることにより収縮すると共に、流体が前記穴部から内部に流入し、前記寝具等清掃用具本体に連結された状態において、膨張と収縮とを交互に繰り返すようにして使用されることを特徴としている。したがって、寝具等に付着しているダニや塵埃等を袋状体単体の外表面に形成されている穴部から吸引して確実に除去することができる。また、並列に配置された袋状体単体は、膨張と収縮とを交互に繰り返すようにして使用されるので、寝具等を変形させて叩く効果を同時に奏することができ、寝具等に付着しているダニや塵埃等を確実に除去することができる。
【００１１】
請求項２の発明は、請求項１に記載の構成よりなる袋状体において、穴部は板状弁にて形成されてあり、膨張時に閉状態、収縮時に開状態となるよう、開閉可能に形成されてあることを特徴としている。したがって、膨張時に袋状体の穴部は板状弁にて閉状態となっているので、収縮時に吸い込んだダニや塵埃等が外部に放出されるのを防ぐことができる。
【００１２】
請求項３の発明は、請求項１又は２に記載の構成よりなる袋状体において、膨張時及び／又は収縮時において、袋状体単体の形状を規制する為の規制部材が形成されてあることを特徴としている。したがって、規制部材によって、袋状体単体が所定の形状を保つことができ、隣り合う袋状体単体同士が干渉するのを防ぐことができる。
【００１３】
請求項４の発明は、寝具等清掃用具であって、電動送風機と集塵室と前記電動送風機の排気を袋状体との間で循環させるための循環風路を有する寝具等清掃用具本体と、請求項１〜３のいずれかの袋状体とを装着した基台を、寝具等に当接させて、前記袋状体の膨張と収縮を交互に繰り返すことにより、前記寝具を変形させると共に、前記寝具に付着した塵埃等を吸引除去することを特徴としている。したがって、寝具等に付着しているダニや塵埃等を袋状体単体の外表面に形成されている穴部から吸引して確実に除去することができる。また、並列に配置された袋状体単体は、膨張と収縮とを交互に繰り返すようにして使用されるので、寝具等を変形させて叩く効果を同時に奏することができ、装置を大型化せずに、寝具等に付着しているダニや塵埃等を確実に除去することができる。
【００１４】
請求項５の発明は、請求項４に記載の構成よりなる寝具等清掃用具において、寝具等清掃用具を寝具等に当接させた状態で、前記寝具等清掃用具及び前記寝具等を袋状シート内に収容し、該状態において寝具等の清掃が行われることを特徴としている。したがって、袋状シート内に収容された寝具等に付着しているダニや塵埃等を確実に除去することができる。
【発明の効果】
【００１５】
請求項１の袋状体の発明では、寝具等に付着しているダニや塵埃等を確実に除去することができる。また、請求項２の発明では、収縮時に吸い込んだダニや塵埃等が外部に放出されるのを防ぐことができる。また、請求項３の発明では、規制部材によって、袋状体単体が所定の形状を保つことができ、隣り合う袋状体同士が干渉するのを防ぐことができる。
【００１６】
また、請求項４の寝具等清掃用具の発明では、装置を大型化せずに、寝具等に付着しているダニや塵埃等を確実に除去することができる。また、請求項５の発明では、袋状シート内に収容された寝具等に付着しているダニや塵埃等を確実に除去することができる。
【図面の簡単な説明】
【００１７】
【図１】本発明に係る寝具等清掃用具の第１実施形態を示す斜視図
【図２】本発明に係る寝具等清掃用具の第２実施形態を示す斜視図
【図３】（ａ）及び（ｂ）は、板状弁の動作を示す断面図
【図４】（ａ）〜（ｃ）は、規制部材の一例を示す斜視図
【発明を実施するための形態】
【００１８】
以下、本発明の実施の形態について、図面を参照しながら説明する。なお、この実施の形態により本発明が限定されるものではない。
【００１９】
図１は、本発明に係る寝具等清掃用具の第１実施形態を示す斜視図である。この図に示すように、寝具等清掃用具１０は、集塵室１ａを備えた電動送風機８と、電動送風機８の排気を袋状体２との間で循環させるための循環風路とを有する寝具等清掃用具本体１と、寝具等清掃用具本体１に連結される袋状体２とを有している。尚、電動送風機８内にＰＴＣヒータ等の加熱手段（図示せず）を設置した構成とすることができ、加熱手段によって、温風等の流体を排出することができる構成としてもよい。
【００２０】
また、袋状体２は、４個の袋状体単体２Ａ、２Ｂ、２Ｃ、２Ｄを並列に配置されて構成されており、袋状体単体２Ａ、２Ｂ、２Ｃ、２Ｄは、流体出入口３ａ、３ｂ、３ｃ、３ｄと、穴部４ａ、４ｂ、４ｃ、４ｄを有している。流体出入口３ａ、３ｂ、３ｃ、３ｄは、流体を袋状体単体２Ａ、２Ｂ、２Ｃ、２Ｄの内部に流入させると共に内部から流出させるように、パイプＡ５ａ又はパイプＢ５ｂと連結されている。尚、袋状体２の所定箇所には、複数のＵＶランプ１２ａ、１２ｂ、１２ｃが設置されており、この複数のＵＶランプ１２ａ、１２ｂ、１２ｃを袋状体２が寝具等１３に設置された状態で点灯させて、寝具等１３を殺菌するようにしている。
【００２１】
穴部４ａ、４ｂ、４ｃ、４ｄは、袋状体単体２Ａ、２Ｂ、２Ｃ、２Ｄの外表面に複数個形成されており、袋状体単体２Ａ、２Ｂ、２Ｃ、２Ｄは、流体出入口３ａ、３ｂ、３ｃ、３ｄから袋状体単体２Ａ、２Ｂ、２Ｃ、２Ｄの内部に流体を流入させることにより膨張すると共に、流体が穴部４ａ、４ｂ、４ｃ、４ｄから外部に流出するように構成されている。
【００２２】
また、袋状体単体２Ａ、２Ｂ、２Ｃ、２Ｄは、内部の流体を流体出入口３ａ、３ｂ、３ｃ、３ｄから外部に流出させることにより収縮すると共に、流体が穴部４ａ、４ｂ、４ｃ、４ｄから内部に流入し、寝具等清掃用具本体１に連結された状態において、膨張と収縮とを交互に繰り返すように構成されている。
【００２３】
袋状体単体２Ａ、２Ｂ、２Ｃ、２Ｄが膨張と収縮とを交互に繰り返すための具体的な構成を以下に説明する。電動送風機８の排気口８ａに排気パイプ７ａの一端が連結されており、排気パイプ７ａの他端は、吸排切換機能を備えた電磁弁９に連結されている。また、電動送風機８の吸気口８ｂに吸気パイプ７ｂの一端が連結されており、吸気パイプ７ｂの他端は、吸排気切換機能を備えた電磁弁９に連結されている。電磁弁９は、２個の吸排気口９ａ、９ｂを備えており、一方の吸排気口９ａにパイプＡ５ａの一端が連結され、他方の吸排気口９ｂにパイプＢ５ｂの一端が連結されている。尚、電動送風機８は、電源コード１１を介して電源に接続されている。
【００２４】
そして、パイプＡ５ａの他端は、二股パイプＡ６ａに連結されており、パイプＢ５ｂの他端は、二股パイプＢ６ｂに連結されている。さらに、二股パイプＡ６ａの一方の端部が袋状体単体２Ａの流体出入口３ａに連結されており、二股パイプＡ６ａの他方の端部が袋状体単体２Ｃの流体出入口３ｃに連結されている。また、二股パイプＢ６ｂの一方の端部が袋状体単体２Ｂの流体出入口３ｂに連結されており、二股パイプＢ６ｂの他方の端部が袋状体単体２Ｄの流体出入口３ｄに連結されている。
【００２５】
上述のように構成されているので、吸排気切換機能を備えた電磁弁９の吸排気口９ａが排気パイプ７ａと連通している場合には、袋状体単体２Ａ及び２Ｃは膨張すると同時に、吸排気口９ｂと吸気パイプ７ｂとが連通することとなり、袋状体単体２Ｂ及び２Ｄは収縮する。反対に、吸排気切換機能を備えた電磁弁９の吸排気口９ａが吸気パイプ７ｂと連通している場合には、袋状体単体２Ａ及び２Ｃは収縮すると同時に、吸排気口９ｂと排気パイプ７ａとが連通することとなり、袋状体単体２Ｂ及び２Ｄは膨張する。
【００２６】
したがって、寝具等１３に袋状体２が設置されると、隣り合う袋状体単体２Ａと２Ｂ又は、２Ｂと２Ｃ又は２Ｃと２Ｄが、交互に膨張と収縮とを繰り返すこととなり、寝具等を変形させて叩く効果を奏することができる。
【００２７】
また、寝具等１３に袋状体２が設置された状態で、寝具等１３を専用の袋状シート１４に収容して、寝具等１３の清掃を行えば、袋状シート１４内に収容された寝具等１３に付着しているダニや塵埃等を確実に除去することができる。尚、袋状シート１４は、ファスナー１４ｂによって開口部１４ａが形成される構成となっており、材質は、非通気性及び断熱性を備えているシートを使用するのが好ましい。
【００２８】
図２は、本発明に係る寝具等清掃用具の第２実施形態を示す斜視図である。この図に示すように、寝具等清掃用具２０は、集塵室を備えた電動送風機と、電動送風機の排気を袋状体との間で循環させるための循環風路とを有する寝具等清掃用具本体２１と、寝具等清掃用具本体２１に連結される袋状体２２とが一体化されて構成されている。また、４個の袋状体単体２２Ａ、２２Ｂ、２２Ｃ、２２Ｄが並列に配置されて構成されており、袋状体単体２２Ａ、２２Ｂ、２２Ｃ、２２Ｄが膨張と収縮とを交互に繰り返すための具体的な構成は、第１実施形態と同様なので説明は省略する。
【００２９】
上述のように、第２実施形態の寝具等清掃用具２０は、寝具等清掃用具本体２１と、寝具等清掃用具本体２１に連結される袋状体２２とが一体化されて構成されているので、電源コード２３を電源に接続し、寝具等清掃用具本体２１を寝具等１３に設置された状態で、寝具等１３を専用の袋状シート１４に収容して、寝具等１３の清掃を行えば、袋状シート１４内に収容された寝具等１３に付着しているダニや塵埃等を確実に除去することができる。尚、袋状シート１４は、ファスナー１４ｂによって開口部１４ａが形成される構成となっており、材質は、通気性を備えているシートを使用するのが好ましい。また、寝具等清掃用具本体２１には、着脱自在に集塵袋２１ａが設置される構成となっており、集塵袋２１ａに収容された塵埃を定期的に外部に排出する構成としている。
【００３０】
図３（ａ）及び（ｂ）は、板状弁の動作を示す断面図である。これらの図に示すように、袋状体単体２Ａの穴部４ａは、板状弁１５にて形成されており、板状弁１５には、小穴１５ａが形成されている。したがって、図３（ａ）に示すように、袋状体単体２Ａを膨張させている状態では、板状弁１５が穴部４ａの隙間を塞ぐことによって、袋状体単体２Ａの内部に残留している塵埃１８等が穴部４ａの隙間から外部に排出されるのを防いでいる。また、板状弁１５に形成されている小穴１５ａの外径は、塵埃１８等よりも小さくなるように形成されており、塵埃１８等の外部への排出を防ぐと共に、小穴１５ａから温風等の流体が排出されて寝具等を乾燥させることができる構成としている。
【００３１】
また、図３（ｂ）に示すように、袋状体単体２Ａを収縮させている状態では、板状弁１５が穴部４ａに隙間が形成され、この隙間から塵埃１８等が袋状体単体２Ａ内部に収容される。さらに、袋状体単体２Ａ内部に収容された塵埃１８等は、寝具等清掃用具本体内部に設置された集塵袋に収容される構成となっている。
【００３２】
図４（ａ）〜（ｃ）は、規制部材の一例を示す斜視図である。図４（ａ）に示す例では、袋状体単体２Ａ内部に、変形自在なコイル状の規制部材１６を設置する構成としている。その為、袋状体単体２Ａは、収縮時に規制部材１６に当接する事により、収縮できる限度を設定できる。また、図４（ｂ）及び（ｃ）に示す例では、袋状体単体２Ｂ内側の上面及び下面にリング状の規制部材１７ａ及び１７ｂを設置する構成としている。このように構成することによって、袋状体単体２Ｂの膨張時には、図４（ｂ）に示すように、袋状体単体２Ｂを円柱形状に保つことができ、袋状体単体２Ｂの収縮時にも、図４（ｃ）に示すように、袋状体単体２Ｂを円柱形状に保つことができる。したがって、膨張及び収縮時に、隣り合う袋状体単体同士が干渉するのを防ぐことができる。
【産業上の利用可能性】
【００３３】
本発明の袋状体及び寝具等清掃用具は、掛布団、敷布団、毛布、枕、バスタオル、パジャマなどの寝具等の清掃を行う道具として使用される。
【符号の説明】
【００３４】
１、２１  寝具等清掃用具本体
１ａ  集塵室
２、２２  袋状体
２Ａ、２Ｂ、２Ｃ、２Ｄ、２２Ａ、２２Ｂ、２２Ｃ、２２Ｄ  袋状体単体
３ａ、３ｂ、３ｃ、３ｄ  流体出入口
４ａ、４ｂ、４ｃ、４ｄ  穴部
５ａ  パイプＡ
５ｂ  パイプＢ
６ａ  二股パイプＡ
６ｂ  二股パイプＢ
７ａ  排気パイプ
７ｂ  吸気パイプ
８  電動送風機
８ａ  排気口
８ｂ  吸気口
９  電磁弁
９ａ、９ｂ  吸排気口
１０、２０  寝具等清掃用具
１１、２３  電源コード
１２ａ、１２ｂ、１２ｃ  ＵＶランプ
１３  寝具等
１４  袋状シート
１４ａ  開口部
１４ｂ  ファスナー
１５  板状弁
１５ａ  小穴
１６、１７ａ、１７ｂ  規制部材
１８  塵埃
２１ａ  集塵袋
【図１】
0006348386.tif 000002
【図２】
0006348386.tif 000003
【図３】
0006348386.tif 000004
【図４】
0006348386.tif 000005